(57)【特許請求の範囲】
【請求項１】
テキスト記述と関連する環境パラメータセットを決定する方法であって、
−  ファイルであって、前記ファイルの情報が、前記テキスト記述と一致するファイルのサブセットを得るために、複数のファイルであって、各ファイルがファイルコンテンツに関する情報を有する複数のファイルを有するデータベースを、前記テキスト記述を用いて検索するステップと、
−  前記テキスト記述に関する前記環境パラメータセットを得るために前記ファイルのサブセットを分析するステップとを有する方法であり、
前記環境パラメータセットは、照明の光の値、照明の色の値、照明の輝度の値、音声のインジケータ、背景雑音のインジケータ及びにおいのうちの１つ以上を有する、方法。
【請求項２】
請求項１に記載の方法であって、前記環境パラメータセットが、空間パラメータを有する方法。
【請求項３】
請求項１又は２に記載の方法であって、前記ファイルのサブセットを分析するステップが、前記ファイルのサブセットから前記環境パラメータセットのための平均パラメータ値を決定するステップを有する方法。
【請求項４】
請求項１、２又は３に記載の方法であって、前記環境パラメータセットを用いて環境装置を設定するステップを更に有する方法。
【請求項５】
請求項１乃至４のいずれか一項に記載の方法であって、得られた前記環境パラメータセットと最も一致するファイルを、前記ファイルのサブセットから選択するステップを更に有する方法。
【請求項６】
環境特徴を持つことを可能にする環境装置のための環境制御システムであって、請求項１乃至５のいずれか一項に記載の方法を用いて、前記環境特徴のための環境パラメータセットを決定し、前記環境パラメータセットを用いて、前記環境装置の前記環境特徴を制御するよう構成される環境制御システム。
【請求項７】
請求項６に記載の環境制御システムと、前記環境制御システムに接続される１つ以上の環境装置とを有する装置。
【請求項８】
コンピュータ実行可能なコードであって、コンピュータシステムにロードされる場合、前記コンピュータシステムが、請求項１乃至５のいずれか一項に記載の方法を実行することを可能にするコンピュータ実行可能なコードを有するコンピュータプログラム。
【請求項９】
請求項８に記載のコンピュータプログラムを利用可能にする方法。
【発明の詳細な説明】
【技術分野】
【０００１】
本発明は、単語又は文などのテキスト記述と関連する環境パラメータセットを決定する方法に関する。前記環境パラメータセットは、背景照明の色、光度などの１つ以上のセンサパラメータを含んでもよく、背景の音声又はにおいも含んでもよい。
【背景技術】
【０００２】
Image and Vision Computing 17 (1999)の４７５乃至４８８ページのTheo Gevers及びArnold W.M. Smeuldersによる論文「Content-based image retrieval by viewpoint-invariant color indexing」は、色情報索引付けを用いるイメージ検索の方法を開示している。大量の（ピクチャ）ファイルが、ピクチャ内の色情報を用いることによって分析され得る。前記方法は、イメージ例内のものと同じ（しかし、場合により、視る角度及び照明条件が異なる）オブジェクトが含まれる多数のファイルを見つけるのに利用され得る。この方法においてはファイル内の色情報しか用いられない。
【０００３】
米国特許出願公開第US2003/0208482号は、キーワード、又はキーワードの組み合わせを用いて、インターネットページから関連情報を取り出すシステム及び方法を開示している。開示されている検索及びランキング方法は、完全にテキストをベースにしている。
【０００４】
国際特許出願公開第WO02/008948号は、電子マルチメディアファイルの一部の索引付け、検索、識別及び編集のための方法及びシステムを記載している。例えば、マルチメディアファイル中のグラフィックの形態のテキスト情報が、前記ファイルから抽出され、前記ファイルにタグ又はブックマークとして付加され得る。
【発明の概要】
【発明が解決しようとする課題】
【０００５】
本発明の目的は、「夕焼け」又は「秋」などの環境の特定のテキスト記述と関連する環境パラメータセット値を見つける方法を提供することにある。
【課題を解決するための手段】
【０００６】
本発明によれば、冒頭の段落において言及されているような方法であって、複数のファイルを有するデータベースを検索するステップを有する方法が提供される。前記ファイルは、ピクチャ、ビデオ又は音声の形態のコンテンツを有し得る。更に、各ファイルは、ファイルのコンテンツに関する情報を、例えば、ファイル名、又は前記ファイルの一部として記憶される他の属性の形態で、有する。所望の環境を表す単語又は文の形態の前記テキスト記述は、ファイルであって、前記ファイルの情報が前記テキスト記述と一致するファイルのサブセットを得るために用いられる。前記方法は、前記テキスト記述に関する前記環境パラメータセットを得るために前記ファイルのサブセットを分析するステップを更に有する。前記データベースは、専用データベースであってもよいが、インターネットによって形成されてもよい。このため、この方法のために前記ファイルを見つけるのに検索エンジンが用いられてもよい。
【０００７】
他の実施例においては、前記環境パラメータセットは、光の値、色の値、音声のインジケータ(indicator)、又は背景雑音のインジケータのグループのうちの１つ以上を有する。前記所望の環境の前記テキスト記述と一致する前記ファイルのサブセットは、これらのパラメータの１つ以上について分析され得る。他の実施例においては、前記環境のパラメータのセットは、前記環境の２次元又は３次元の側面を考慮に入れる空間パラメータを有してもよい。
【０００８】
他の実施例においては、前記ファイルのサブセットの前記分析は、前記ファイルのサブセットから前記環境パラメータセットのための平均パラメータ値を決定するステップを有する。ファイルの大きなグループの平均パラメータ値を決定するステップは、各々の環境パラメータのための関連値の信頼できる指示を供給するであろう。インターネット又は別の大きな公共データベースを用いることにより、例えば「夕焼け」といった前記テキスト記述の、ピクチャ、ビデオ、音声サンプル、光、又は雰囲気を含むファイルのサブセットであって、それらの特徴が全て「夕焼け」を表現するファイルのサブセットへの優れた翻訳が可能である。これは、多くのファイルであって、前記多くのファイルに対して多くの人々の全てが「夕焼け」という記述を与えている多くのファイルの使用によるものである。従って、前記ファイルのサブセットは、人々の大きなグループによって共有される、「夕焼け」という前記テキスト記述の認識でもある。このような共通の認識は、地理的に異なるかもしれない。例えば、「夕焼け」又は「サッカー」のようなテキスト記述の前記共通の認識は、前記データベースがローカルにしか検索されない場合（これは、例えば、インターネットにおいて検索するためのほとんどの検索エンジンにおいて可能である）に異なるかもしれない。「サッカー」という前記テキスト記述は、オランダにおいては、例えば日本と比べて異なるファイルのサブセットをもたらし得る。
【０００９】
他の実施例においては、前記方法は、前記環境パラメータセットを用いて環境装置を設定するステップを更に有する。前記環境装置は、照明アプリケーション装置、又はアンビライト(ambilight)・ホームエンターテイメント装置などを含み得るが、これらに限定されない。他の実施例においては、前記方法は、得られた前記環境パラメータセットと最も一致するファイルを、前記ファイルのサブセットから選択するステップを有してもよい。例えば、所望の環境と関連する前記テキスト記述を最も良く表現するピクチャを備えるファイルが選択されるかもしれず、例えば、画面などにおいて表示されるかもしれない。
【００１０】
別の実施例においては、前記複数のファイルは、ピクチャ又はイメージを有し、各ファイルを分析するステップは、各ファイルを、領域、例えば、上部と、中央部と、下部とに分割するステップと、前記環境パラメータセットの一部として各領域の局所的環境パラメータを得るために各領域を分析するステップとを有する。この方法においては、前記環境は、より緻密に制御されるかもしれず、照明は、例えば、環境照明装置の、上部照明と、中央部照明と、下部照明とに対して異なるように制御されるかもしれない。
【００１１】
他の態様においては、本発明は、環境特徴、例えば、背景照明であるが、背景音声／雑音、においなども持たせる環境装置のための環境制御システムに関する。前記環境制御システムは、例えば、単語若しくは文の入力、又はプリセットされた多数の単語からの選択という形態の、環境パラメータ入力を受け取り、上記の方法の実施例のいずれか１つに従う方法を用いて、受け取った前記環境パラメータ入力に基づいて、前記環境特徴のための環境パラメータセットを決定し、前記環境パラメータセットを用いて前記環境装置の前記環境特徴を制御するよう構成される。
【００１２】
更に、本発明は、本発明による環境制御システムと、前記環境制御システムに接続される１つ以上の環境装置とを有する装置に関する。このような装置の例は、アンビライト装置を具備するテレビを含むが、これに限定されない。他の例は、２次元又は３次元位置モデルが用いられる環境システムを含む。
【００１３】
更に、本発明は、コンピュータ実行可能なコードであって、コンピュータシステムにロードされる場合、前記コンピュータシステムが、前記方法の前記実施例のいずれか１つに従う方法を実行することを可能にするコンピュータ実行可能なコードを有するコンピュータプログラム製品に関する。本発明は、このようなコンピュータプログラム製品を利用できるようにすることにも関する。
【００１４】
下記の実施例に関して、本発明のこれら及び他の態様を説明し、明らかにする。
【図面の簡単な説明】
【００１５】
【図１】本発明が実施され得るテレビの概略図である。
【図２】本発明による環境制御システムの実施例の概略的なブロック図である。
【図３】本発明による方法の実施例のフローチャートである。
【図４】本発明の他の実施例において用いられるピクチャの細分の概略図である。
【図５】本発明が適用され得る多くの環境装置タイプを具備する部屋の概略図である。
【発明を実施するための形態】
【００１６】
図１は、本願が実施及び利用され得る装置の例を示している。図１は、イメージ又はピクチャ２を示すための画面を具備するテレビ１の正面図である。更に、テレビ１は、環境照明装置３のセットを具備し、環境照明装置３は、テレビ１の環境に対して指定色の照明（又は背景照明）を供給するよう構成される。テレビの知覚される環境（又は雰囲気）は、指定色を変えることによって変えられ得る。
【００１７】
指定色は、一定の色の値に設定されてもよく、又はテレビ１に示されるその時点のピクチャ２（又はビデオフレーム）に依存して変化してもよい。
【００１８】
本発明によれば、所望の環境のテキスト記述と関連する環境パラメータセットを得ることを可能にする方法が提供される。環境パラメータセットは、例えば、色の値、輝度の値、色相の値、又はそれらの組み合わせを有し得る。更に、環境パラメータセットは、背景音声若しくは背景雑音、又は様々な照明装置、ファン、空調装置、におい若しくは香りをまく装置、様々なタイプのオーディオ及びビデオ装置、響きなどによって供給されるような任意の他のセンサパラメータなどの他の要素を有してもよい。本発明は、ピクチャの大きなデータベースを用いて、環境アプリケーションにおいて用いられるような環境コンテンツのより良い定義を可能にし、環境コンテンツの解釈のより正確な関連付けを可能にする。
【００１９】
図２は、本発明による環境制御システム１０の実施例の概略図である。環境制御システム１０は、上記の環境照明装置３などの環境装置１５に接続されてもよく、又は前記環境装置１５の一部であってもよい。環境制御システム１０は、プロセッサ１２を有する。プロセッサ１２は、単一の中央処理ユニット、マルチプロセッサ構成（例えば、マルチコアプロセッサ）、又は分散プロセッサ構成であり得る。プロセッサ１２は、プロセッサ１２の一部であるメモリ装置に記憶されるプログラム命令を実行するよう構成される。メモリ装置は、任意の形態の揮発性又は不揮発性メモリ、例えば、半導体メモリモジュール、磁気ディスク記憶装置、光ディスク記憶装置などであり得る。本方法は、コンピュータプログラムとして実施されてもよく、前記コンピュータプログラムは、光ディスクなどのコンピュータプログラム製品に記憶されてもよく、又は例えばダウンロード若しくは記憶のために利用できるようにされてもよい。
【００２０】
プロセッサ１２は、環境制御システム１０のオペレータから入力を受け取るために、例えば、キーボード、スイッチのアレイ、タッチスクリーンなどの形態の、入力装置１１に接続される。更に、プロセッサ１２は、環境装置制御器１４に接続される。プロセッサ１２は、以下により詳細に記載するような方法を、図２に示されている機能ブロック、検索機能ブロック１６、分析／選択／フィルタ機能ブロック１７、及びオプションの位置モデルブロック１８を用いて実行するよう構成され得る。更に、プロセッサ１２は、環境パラメータセットをメモリ装置に記憶するよう構成されてもよいが、環境装置１５との接続、及び接続された環境装置１５への環境パラメータセットの送信のために環境装置制御器１４を使用するよう構成されてもよい。
【００２１】
プロセッサ１２はまた、インターネットモデム又はルータなどの適切なインタフェース手段を、インターネットブラウザなどの適切なソフトウェアアプリケーションと組み合わせて用いることで、インターネットなどの大きなデータベース１９に接続可能である。
【００２２】
インターネットにおいては莫大な量の情報が入手できる。更に、適切な検索エンジンを用いることによって、（ピクチャ、音声又はビデオファイルなどの）マルチメディアコンテンツを、例えば、ファイルの名前、又はファイルに含まれる他の属性の形態の、幾らかの（テキスト）情報と一緒に有するファイルが見つけられ得る。もちろん、複数のこのようなマルチメディアファイルを有する専用データベース１９も用いられ得る。
【００２３】
本発明は、所望の環境のテキスト記述と一致する（テキスト）情報を有する多数のファイルを見つけ、分析することによって、環境の記述の平均的な解釈を用いることを可能にする。
【００２４】
これは、図３のフローチャートにおいて概略的に示されている。最初のステップ３０においては、所望の環境のテキスト記述が、例えば、テキストを入力することによって、又はテキスト記述を記述のリストから選択することによって、入力される。次のステップ３１においては、ファイルであって、前記ファイルの（テキスト）情報がテキスト記述と一致するファイルのサブセットが決定される。大きなデータベースとしてインターネットを用いる場合、或る単語又は文に基づいて例えばピクチャのファイルを見つけるのに検索エンジンが用いられ得る。このステップ３１は、例えば、プロセッサ１２の検索機能ブロック１６において実施され得る。次いで、ステップ３２においては、１つ又は複数の検索語と一致するファイルのサブセットが、例えば、ピクチャ内又はピクチャの様々な部分内の色について、分析され得る。多数のこれらのピクチャを分析することによって、１つ又は複数の単語を表現する色の非常に良い解釈が見つけられ得る。所望の環境のテキスト記述又は単語を表現する色は、次のステップ３３において、例えば、色、色相、飽和度、輝度などの値を記憶することによって、環境パラメータセットとして供給され得る。これらのステップ３２、３３は、例えば、プロセッサ１２の分析／選択／フィルタ機能ブロック１７において実施され得る。より良い結果を得るため、分析／選択／フィルタ機能ブロック１７は、不適当又は不正確なファイルをフィルタにかけることで取り除くよう構成されてもよい。これは、異常値又は誤って選択されたファイルがフィルタにかけることで取り除かれるので、最適平均技術(best average technique)と呼ばれ得る。「夕焼け」というテキスト記述を用いる検索は、例えば、９０個のピクチャファイルのサブセットをもたらし得る。環境パラメータセットは、最適平均技術を用いて決定され、その場合、８０個のファイルは、確かに夕焼けに関するピクチャであると決定されるかもしれず、１０個のピクチャは、誤っていると決定されるかもしれない。その場合、これらの１０個の誤ったピクチャは、ファイルのサブセットから取り除かれ得る。
【００２５】
得られた環境パラメータセットは様々に用いられ得る。上で図２を参照して説明したように、環境装置１５は、環境パラメータセットを用いて制御され得る。例えば、テレビ１の環境照明装置３は、環境パラメータセットに従って背景照明を供給するよう制御され得る。更に、環境パラメータセットは、ファイルのサブセットにおいて、テキスト記述と最も一致するファイルを見つけ、このファイルをピクチャビューワのためのコンテンツとして用いるのにも用いられ得る。
【００２６】
他の実施例においては、環境パラメータセットは、音声又は雑音パラメータなどの、より多くの又は他のパラメータを有してもよい。更に、環境パラメータセットの１つ以上のパラメータは、時間の関数、例えば、色の経時変化であってもよい。
【００２７】
実施例においては、特定の単語（例えば「夕焼け」）に関するピクチャファイルを見つけるためにピクチャ検索アプリケーションが用いられた。４０個のファイルのセットが、見つけられ、色内容について分析された。この実施例においては、ピクチャ２は、図４に示されているように３つの分析領域ａ、ｂ及びｃ（各々、ピクチャ２の上部、中央部及び下部）に分割された。各領域ａ、ｂ、ｃは、色内容について分析され、結果は、記憶された。分析された色の平均（又は他の例においては合計）は、「夕焼け」というテキスト記述を表現する色のスペクトルを、上部、中央部及び下部という位置情報と共に供給する。このようにして得られた色のスペクトルは、環境パラメータセットとして記憶される。この情報を用いて、環境パラメータセット中に記憶された環境情報に適合するピクチャが選択されてもよく、選択されたピクチャは、コンテンツとして用いられてもよい。選択されたピクチャは、例えば、部屋の中のディスプレイ上に示されてもよい。更に、環境パラメータセットは、環境パラメータセット中の色及び位置情報の両方に基づいて、他の装置、例えば、部屋の中の照明を制御するのに用いられてもよい。
【００２８】
この実施例の変形例においては、所望の環境のテキスト記述と一致するピクチャを備えるファイルが検索され得るだけでなく、ビデオファイル又はオーディオファイルも検索され得る。最終的に選択されたビデオファイルは、部屋の中のディスプレイにおいて再生されてもよく、オーディオファイルは、例えば、背景音声として、低い音量でスピーカシステムを通して再生されてもよい（「オーディオ壁紙」）。部屋又は空間において何らかのタイプの感覚情報を供給することを可能にする他のタイプのファイルも、本発明を用いて検索され得る。
【００２９】
図５は、部屋であって、前記部屋の中に、多くの異なるタイプの環境装置１５がある部屋の概略的な描写である。図１に示されているような環境照明装置３を備えているテレビ１が、第１壁部上に配置されている。更に、可変の色及び／又は輝度を持つ光を供給するよう構成される多数のスタンディングランプ４及び壁面照明５がある。絵画を表示するよう構成される電子絵画６が、他の壁部上に配置されている。この部屋の中には、表示画面を持ち、多くの機能（例えば、ホーム・オートメーション・システム）を制御するよう構成され得る遠隔制御装置７がある。最後に、多くのスピーカ素子８を備えているオーディオシステムが部屋の中にある。
【００３０】
他の実施例においては、環境パラメータセットは空間パラメータを有する。空間パラメータは、２次元又は３次元の特徴を備える上記のパラメータを有してもよい。これらは、多くの環境装置１５を備える部屋のような、全部揃っている環境装置の一式において有利に用いられ得る。環境装置１５の位置及びタイプは、位置モデルに記憶されてもよく、その場合、それは、プロセッサの位置モデル機能１８（図２参照）において用いられる。その場合、分析／選択／フィルタ機能ブロック１７は、部屋の中の環境装置１５を駆動するのに用いられ得る多様な多次元の環境パラメータセットを供給するよう構成され得る。この多様な多次元の環境パラメータセットは、図４に関連して記載した環境パラメータセットのより複雑な変形例である。
【００３１】
例えば、ユーザが、入力装置１１において「夕焼け」という環境テキスト記述を入力する場合、上記の様々な実施例において記載したように環境パラメータセットが決定される。各スタンディングランプ４及び壁面照明５の色は、部屋の中のそれらの位置に依存して選択される。テレビ１においては夕焼けのビデオフィルムが再生され、電子絵画６は夕焼けの絵画に変わる。更に、遠隔制御装置７は、夕焼けのピクチャを表示するよう制御され得る。テレビにおける夕焼けのビデオと関連する音声は、オーディオシステムスピーカ８に出力される。
【００３２】
しばらくして、ユーザは、「海ジェットスキー」というテキスト記述を入力するかもしれない。その場合、スタンディングライト４及び壁面照明５は、黄色及びオレンジ色の色合いからより青みがかった色合いへ色を変更し得る。テレビ１は、海及びジェットスキーのビデオを再生するよう設定されてもよく、電子絵画６は、関連する絵画に変わってもよい。遠隔制御装置７もまたピクチャを変えてもよく、オーディオシステムスピーカ８は、対応する音声又は雑音を再生するよう設定されてもよい。
【００３３】
本願における意味において、「環境」という用語は、上記の実施例に関して記載したようなテレビ１の環境照明だけと解釈されるべきではない。照明アプリケーションなどの環境照明の色の状態を変える他の装置を用いることも可能である。ユーザは、所望の効果を記述する１つ又は幾つかの単語を入力又は選択することによって、照明の色（又は照明の色合成）を変え得る。上記のような環境装置制御器１０を備える他のマルチメディア装置も配設され得る。
【００３４】
更に、環境は、照明だけには限定されない。環境パラメータセットは、例えば、環境音声、環境雑音に関する要素、又は更に他の感覚要素も有してもよい。記載されている実施例においては、例えば、入力又は選択されるテキスト記述が「海」である場合、背景雑音として海の波の砕ける音を得ることが可能である。
【００３５】
本願において、「有する」という動詞及びその語形変化の使用は、他の要素又はステップの存在を排除しない。単数形表記は、同じ要素の複数の存在を排除しない。「プロセッサ」１２という用語の使用もまた、広く解釈されるべきであり、単一のプロセッサ、又は上記の機能を実現することが出来る他のユニット若しくはユニットの配列されたものを含む。
【００３６】
添付されている請求項における参照符号の使用は、その範囲を限定するものとして解釈されるべきでない。
【図１】
0005647302.tif 000002
【図２】
0005647302.tif 000003
【図３】
0005647302.tif 000004
【図４】
0005647302.tif 000005
【図５】
0005647302.tif 000006